(57)【要約】      （修正有）【課題】面倒なロール式トイレットペーパーの収納、交換を容易にしたもので、一般家庭用として使用できる以外に業務用としても使用できるトイレットペーパー収納兼交換用ボックスを提供する。【解決手段】上下に積み重ねた状態で複数のロールペーパーを収納するロールペーパー収納ボックス１とロールペーパーＲＰの新旧交換を行うメカボックス２とによって構成されたトイレットペーパー収納兼交換用ボックスで、メカボックス２に操作用ハンドル６ｃを有するペーパーカッター、リレーストッパー、リレーバー、キャッチプレート、親指形センターノブ、パイロットバー、リレーリンク等を備えた。【選択図】図１
2013215541.tif 000002
【特許請求の範囲】
【請求項１】
上下に積み重ねた状態で複数のロールペーパーを収納するロールペーパー収納ボックスとロールペーパーＲＰの新旧交換を行うメカボックスとによって構成されたトイレットペーパー用ホルダーにおいて、
ロールペーパーＲＰをカットする機能を有するペーパーカッター兼カバーと、このカバーに設けた操作用ハンドルと、前記カバーを支持するペーパーカッター支持腕で構成され、この操作用ハンドルの操作で引き下げ又は引き戻し自在に前記メカボックスの両側壁に軸支されたペーパーカッター、前記メカボックスの上部位置両側にそれぞれ揺動自在に設けられ、前記ロールペーパー収納ボックス内においてロールペーパーＲＰを保持し且つ適宜落下させる一対のリレーストッパー、前記メカボックスの上部位置両側に跨って揺動自在に設けられ、前記リレーストッパーを作動させるリレーバー、前記メカボックスの下部位置両側にそれぞれ出入自在に設けられ、使用に供するため落下してきた最下段のロールペーパーＲＰ１を一時的に受け止め保持する一対のキャッチプレート、前記メカボックスの下部位置両側にそれぞれ出入自在に設けられ、前記キャッチプレートで一時的に受け止められたロールペーパーＲＰ１の中空芯体内にローペーパーＲＰ１を持ち上げながら進入しその進入後ロールペーパーＲＰ１を回動自在に保持する一対の親指形センターノブ、前記ペーパーカッターの軸支部両端にそれぞれ前記ペーパーカッターと連動するよう連結され、親指形センターノブ側の端部に第１駆動ローラーを有し、またキャッチプレート側の端部に第２駆動ローラーを有し、前記リレーストッパーと、前記親指形センターノブと、前記キャッチプレートを適宜駆動する一対のパイロットバー、及びこのパイロットバーと前記リレーバー間に設けられ、このリレーバーを適宜揺動させるリレーリンクを備え、
前記各リレーストッパーには、前記リレーバーの揺動によって、前記メカボックスにあけた上部小窓に出入りしてロールペーパーＲＰを保持し且つ適宜落下させる一対の上部保持爪と、前記メカボックスにあけた下部小窓に出入りしてロールペーパーＲＰを保持し且つ適宜落下させる一対の下部保持爪とをそれぞれ設け、
前記各親指形センターノブには、前記第１駆動ローラーによる押圧によって作動する傾斜状親指形センターノブ側シーソ舌片部と親指形センターノブ背面壁部を形成し、
前記各キャッチプレートには、前記第２駆動ローラーによる押圧によって作動する傾斜状キャッチプレート側シーソ舌片部とキャッチプレート背面壁部を形成し、
前記操作用ハンドルの引き下げ操作による前記パイロットバーの正回動時に、
前記第２駆動ローラーにより前記キャッチプレート背面壁部を押圧して前記キャッチプレートを閉じると共に、やや遅れて前記第１駆動ローラーにより前記親指形センターノブ側シーソ舌片部を押圧して前記親指形センターノブを開くことによって前記親指形センターノブからロールペーパー中空芯体（空芯）Ｐａを落下させ、ロールペーパー中空芯体（空芯）Ｐａの落下後、前記パイロットバー・前記リレーリンク・前記リレーバーの順に伝達される駆動力で前記リレーストッパーの上部保持爪と下部保持爪を作動させて下部保持爪で保持されていたロールペーパーＲＰ１を落下させ且つ落下したロールペーパーＲＰ１を前記キャッチプレートで一時的に保持すると共に上部保持爪でロールペーパーＲＰ２を一時的に保持し、
続いて、操作用ハンドルの引き戻し操作による前記パイロットバーの逆回動時に、
前記パイロットバー・前記リレーリンク５・前記リレーバーの動力伝達機構の駆動力が解除され、且つ前記リレーリンクが降下することによって上部保持爪が開くと共に下部保持爪が閉じ上部保持爪で保持されていたロールペーパーＲＰ２を落下させると共に落下したロールペーパーＲＰ２を下部保持爪で保持し、更に操作用ハンドルの引き戻し操作が進む過程で、前記第２駆動ローラーにより前記キャッチプレート側シーソ舌片部を押圧して前記キャッチプレートを開くと共に前記第１駆動ローラーにより前記親指形センターノブ背面壁部を押圧して前記親指形センターノブを閉じ、ロールペーパーＲＰ２の中空芯体内に前記親指形センターノブを進入させて一連の操作を完了し、ロールペーパーＲＰ１を使用可能状態に保持することを特徴とするトイレットペーパー収納兼交換用ボックス。
【発明の詳細な説明】
【技術分野】
【０００１】  本発明は、トイレットペーパーの収納及び自動交換を容易にしたトイレットペーパー収納兼交換用ボックスに関するものである。
【背景技術】
【０００２】  日頃、毎日、トイレにお世話になっている人は、日本人だけでなく外国人も同じである。１日のうち、１、２度は利用しているものと考える。大メーカーが今の時代に合わせて、お尻をお湯で洗ってくれる便器を開発したことは全く素晴らしいことである。
しかし、日本中全部の家庭に行き渡るとは思えない。やがてその時代が来るでしょうが。日本人ほどきれい好きな民族は世界にそれほどいない。
日本の家庭では、玄関、居間、トイレ、風呂場、キッチンは、その宅の文化であると云われている。何かの都合で立ち寄った宅でトイレを借りるとよい気分になれない場合がある。それは、ロールペーパーが窓枠に転がっている。眼の届かぬ所に落ちている。しかも埃をかぶっている。そのような状況を見てどうにかならないものかと思案し、そこで開発したのがこの発明のトイレットペーパー収納兼交換用ボックスである。
これなら５、６個のロールペーパーが収納され、窓付きで確実に在庫が確認でき、超衛生的、しかもワンタッチ機能で空芯と新ロールのチェンジが一瞬にして終えることができる。世界各国では、ロールの寸法に違いがあるが、その国に合わせれば、使用可能である。
【先行技術文献】
【特許文献】
【０００３】
【特許文献１】特開昭５９−１２０１２３号公報
【発明の概要】
【発明が解決しようとする課題】
【０００４】  面倒なロール式トイレットペーパーの収納、交換を容易にしたもので、一般家庭用として使用できる以外に業務用としても使用できるものである。
【課題を解決するための手段】
【０００５】  本発明は、上下に積み重ねた状態で複数のロールペーパーを収納するロールペーパー収納ボックス１とロールペーパーＲＰの新旧交換を行うメカボックス２とによって構成されたトイレットペーパー収納兼交換用ボックスで、リレーストッパー３、キャッチプレート９、親指形センターノブ８、操作用ハンドル６ｃ、リレーバー４、パイロットバー７、リレーリンク５等を備えたものである。
【発明の効果】
【０００６】  本発明によれば、上記背景技術で述べた諸々の効果が期待できると共に、使用済み空芯と新ロールペーパーとの交換を一動作で簡単容易に行うことができる効果がある。
また、数個のロール式トイレットペーパーを収納でき、一般家庭での使用のほか、例えばホテルや旅館などで業務用として使用できるものである。また、業務用として使用した場合、一旦ロールペーパー収納ボックス内に収納されたロール式トイレットペーパーは、手では簡単に取り出すことができず、トイレットペーパーの盗難防止の機能が働くものである。
【図面の簡単な説明】
【０００７】
【図１】この発明の一実施例におけるトイレットペーパー用ボックス全体を示す図で、（ａ）は斜視図、（ｂ）は簡略化して示した正面図である。
【図２】この発明の一実施例におけるトイレットペーパー用ボックスの各部を説明するための分解斜視図である。
【図３】この発明の一実施例の主要部分であるロールペーパーメカボックス２の分解斜視図で、（ａ）はメカボックス全体の斜視図、（ｂ）はリレーストッパー３部分の分解図、（ｃ）はパーパーカッター６部分の分解斜視図ある。
【図４】この発明の一実施例の主要部分であるロールペーパーメカボックス２の全体を、詳細に示す図で、（ａ）は側面図、（ｂ）は正面図である。なお、この図では、リレーストッパーの上部保持爪３ａは開、リレーストッパーの下部保持爪３ｂは閉、親指形センターノブ８は閉、キャッチプレートは開の状態を示す。
【図５】この発明の一実施例の主要部分であるロールペーパーメカボックス２の動作の一部であるロールペーパーの落下状態を説明するための説明図で、（ａ）はロールペーパーＲＰの保持状態の正面図、（ｂ）はロールペーパーの落下状態を示す正面図、（ｃ）はリレーバー３の分解斜視図である。なお、この図の（ａ）では、リレーストッパーの上部保持爪３ａは開、リレーストッパーの下部保持爪３ｂは閉、（ｂ）ではリレーストッパーの上部保持爪３ａは閉、リレーストッパーの下部保持爪３ｂは開、親指形センターノブ８は開、キャッチプレートは閉の状態を示す。
【図６】（ａ）は、この発明の一実施例であるペーパーカッター６部分の斜視図、（ｂ）は、ペーパーカッター６部分と共に、親指形センターノブ８、キャッチプレート９部分、パイロットバー７の連係機構を示す正面図である。なお、この図の（ｂ）では、親指形センターノブ８は閉、キャッチプレートは開の状態を示す。
【図７】図６を別の角度から見た図で、（ａ）は、ペーパーカッター６の部分と親指形センターノブ８、キャッチプレート９、パイロットバー７との取り付け位置関係を示す説明図、（ｂ）は親指形センターノブ８、キャッチプレート９との取り付け位置関係を示す説明図である。なお、この図の（ｂ）では、親指形センターノブ８は閉、キャッチプレートは開の状態を示す。
【図８】この発明の一実施例のペーパーカッター６の部分とパイロットバー７との動作を説明する斜視図である。
【図９】この発明の一実施例の動作を説明するためのフローチャートである。
【図１０】この発明の一実施例の動作（ステップＳ１〜Ｓ２）を示す動作図である。
【図１１】この発明の一実施例の動作（ステップＳ３〜Ｓ４）を示す動作図である。
【図１２】この発明の一実施例の動作（ステップＳ５〜Ｓ６）を示す動作図である。
【図１３】この発明の一実施例の動作（ステップＳ７〜Ｓ８）を示す動作図である。
【発明を実施するための形態】
【０００８】  本発明のトイレットペーパー収納兼交換用ボックスは、ペーパーカッター操作用ハンドル６ｃの引き下げ操作と戻し操作の一連の操作でワンタッチ式に新旧ロールペーパーＲＰの交換が行えるものである。
実施例の説明に先だって基本構成とその動作を説明する。
この発明のトイレットペーパー収納兼交換用ボックスは、上下に積み重ねた状態で複数のロールペーパーを収納するロールペーパー収納ボックス１とロールペーパーＲＰの新旧交換を行うメカボックス２とによって構成されたトイレットペーパー用ホルダーにおいて、ロールペーパーＲＰをカットする機能を有するペーパーカッター兼カバー６ｂと、このカバー６ｂに設けた操作用ハンドル６ｃと、カバー６ｂを支持するペーパーカッター支持腕６ａなどで構成され、この操作用ハンドル６ｃの操作で引き下げ又は引き戻し自在に前記メカボックス２の両側壁に支軸６ｓで支持されたペーパーカッター６、前記メカボックス２の上部位置両側に揺動自在に設けられ、前記ロールペーパー収納ボックス１内においてロールペーパーＲＰを積み重ね保持し且つ適宜落下させる一対のリレーストッパー３、前記メカボックス２の上部位置両側に跨って揺動自在に設けられ、前記リレーストッパー３を作動させるリレーバー４、前記メカボックス２の下部位置両側に出入自在に設けられ、使用に供するため落下してきた最下段のロールペーパーＲＰ１を一時的に受け止め保持（Ｓ６）する一対のキャッチプレート９、前記メカボックス２の下部位置両側に出入自在に設けられ、前記キャッチプレート９で一時的に受け止められたロールペーパーＲＰ１の中空芯体内にローペーパーＲＰを持ち上げながら進入し（Ｓ７）、進入後ロールペーパーＲＰ１を回動自在に保持する親指形センターノブ８、前記ペーパーカッター６の支軸６ｓに前記ペーパーカッター６と連動するよう連結され、親指形センターノブ側の端部に第１駆動ローラー８ｒを有し、またキャッチプレート側の端部に第２駆動ローラー９ｒを有し、前記リレーストッパー３、前記親指形センターノブ８、前記キャッチプレート９を適宜駆動するパイロットバー７、及びこのパイロットバー７と前記リレーバー４間に設けられ、このリレーバー４を適宜揺動させるリレーリンク５を備え、
前記各リレーストッパー３には、前記リレーバー４の揺動によって、前記メカボックス２にあけた上部小窓２ｕに出入りしてロールペーパーＲＰを保持し且つ適宜落下させる一対の上部保持爪３ａと、前記メカボックス２にあけた下部小窓２ｄに出入りしてロールペーパーＲＰを保持し且つ適宜落下させる一対の下部保持爪３ｂとをそれぞれ設け、前記各親指形センターノブ８には、前記第１駆動ローラー８ｒによる押圧によって作動する、傾斜角のある親指形センターノブ側シーソ舌片部８ａと親指形センターノブ背面壁部８ｂを形成し、前記各キャッチプレート９には、前記第２駆動ローラー９ｒによる押圧によって作動する、傾斜角のあるキャッチプレート側シーソ舌片部９ａとキャッチプレート背面壁部９ｂを形成し、
前記操作用ハンドル６ｃの引き下げ操作による前記パイロットバー７の正回動時に、
前記第２駆動ローラー９ｒにより前記キャッチプレート背面壁部９ｂを押圧して前記キャッチプレート９を閉じると共に、やや遅れて前記第１駆動ローラー８ｒにより前記親指形センターノブ側シーソ舌片部８ａを押圧して前記親指形センターノブ８を開くことによって前記親指形センターノブ８からロールペーパー中空芯体（空芯）Ｐａを落下させ（Ｓ４）、ロールペーパー中空芯体（空芯）Ｐａの落下後、前記パイロットバー７→前記リレーリンク５→前記リレーバー４の順に伝達される動力伝達機構の駆動力で前記リレーストッパー３の上部保持爪３ａと下部保持爪３ｂを作動させて下部保持爪３ｂで保持されていたロールペーパーＲＰ１を落下させ且つ落下したロールペーパーＲＰ１を前記キャッチプレート９で一時的に保持すると共に上部保持爪３ａでロールペーパーＲＰ２を一時的に保持（Ｓ６）し、
続いて、操作用ハンドル６ｃの引き戻し操作による前記パイロットバー７の逆回動時に、
前記パイロットバー７→前記リレーリンク５→前記リレーバー４の動力伝達機構の駆動力が解除され、且つ前記リレーリンク５が降下することによって上部保持爪３ａが開くと共に下部保持爪３ｂが閉じ上部保持爪３ａで保持されていたロールペーパーＲＰ２を落下させると共に落下したロールペーパーＲＰ２を下部保持爪３ｂで保持し、
更に操作用ハンドル６ｃの引き戻し操作が進む過程で、前記第２駆動ローラー９ｒにより前記キャッチプレート側シーソ舌片部９ａを押圧して前記キャッチプレート９を開くと共に前記第１駆動ローラー８ｒにより前記親指形センターノブ背面壁部８ｂを押圧して前記親指形センターノブ８を閉じ、ロールペーパーＲＰ２の中空芯体内に前記親指形センターノブ８を進入させて一連の操作を完了し、ロールペーパーＲＰ１を使用可能な状態に保持するようにしたものである。
【０００９】以下、各図面にもとづいてこの発明の一実施例を説明する。
【実施例１】  この実施例１にかかるトイレットペーパー収納兼交換用ボックスは、ロールペーパー収納ボックス（ストッカーという）１とロールペーパーメカボックス（メカボックスという）２とによって構成されている。
ストッカー１には、例えば５個（ＲＰ１〜ＲＰ５）のロールペーパーＲＰが収納できる。又、ストッカー１には、ロールペーパーＲＰを１個づつ、開閉蓋１ａを開けて上から放り込むペーパー補充口１ｂが設けられている。
ストッカー１は、メカボックス２の上に積み重ねた状態で取り付けられている。
開閉蓋１ａを開け、ペーパー補充口１ｂからストッカー１内に放り込まれた１個目のロールペーパーＲＰ１は、ストッカー１内を通過して後記リレーストッパー３の下部保持爪３ｂでキャッチされ止る（図５（ａ）参照）。
２個目以降のロールペーパーＲＰ（ＲＰ１〜ＲＰ５）は、その上に重なり順次止まる（図１（ａ）参照）。【００１０】  メカボックス２には、使用済みになったロールペーパー中空芯体（空芯）Ｐａと新ロールペーパーとの交換を操作用ハンドル６ｃの一操作で簡単に行うことができるロールペーパー交換機構が内蔵されている。
この交換機構は、操作用ハンドル６ｃの付いたペーパーカッター６、リレーストッパー３、コの字形のリレーバー４、リレーリンク５、パイロットバー７、親指形のセンターノブ８、キャッチプレート９、キャッチプレートサブ１０などの主要部材で構成されている（図１〜図８参照）。【００１１】  なお、ペーパーカッター６は、通常は用便時にロールペーパーＲＰをカットするために使用されるものであるが、ロールペーパー交換機構の一部として次の部材、すなわち刃部を有するペーパーカッター兼カバー６ｂ、ペーパーカッター支持腕６ａ、この支持腕６ａを回動自在に支持するペーパーカッター支軸６ｓ、この支軸６ｓの支軸穴（ペーパーカッター支軸の支軸穴）、操作用ハンドル６ｃなどを備えている（図２、図３（ｃ）、図６（ａ）、図７（ａ）参照）。【００１２】  操作用ハンドル６ｃの引き下げ操作と戻し操作の一連の操作は、後述するようにすべての機構の駆動源になっている。
操作用ハンドル６ｃの引き下げ操作時に、ロールペーパー中空芯体（空芯）Ｐａの落下と、次いで新ロールペーパーＲＰ１の落下とキャッチプレート９、１０によるキャッチが行われる。
また、操作用ハンドル６ｃの戻し操作時に、親指形センターノブ８による新ロールペーパーＲＰ１のセットが行われる。【００１３】  ロールペーパーＲＰの落下機構の説明
まず、リレーストッパー３によるロールペーパーＲＰの落下機構について説明する。
この落下機構は、垂直方向に積み重ねられた状態で収納されたロールペーパーＲＰ１〜ＲＰ５のうち、最下段の１個のみを下方へ落とす機構である。
このロールペーパーＲＰの落下機構は、リレーストッパー３、コの字形のリレーバー４、リレーリンク５などで構成されている（図２〜図５参照）。【００１４】  図２〜５においてリレーストッパー３の本体は、正面から見るとΣ形状、側面から見るとＸ形状で、その中央部の支軸３ｓを支点にしてシーソー状に揺動する。
また、リレーストッパー３は、メカボックス２の左右側壁に一対配置され、上部左右に２本の上部保持爪３ａと、下部左右に２本の下部保持爪３ｂの計４本の爪を持ち、これらの保持爪はメカボックス２の両側壁に設けた計８個の上部小窓２ｕ，下部小窓２ｄから内向きに突き出て、出入り自在、すなわち閉じたり開いたりの動作をする。
通常は、図５（ａ）のように下部保持爪３ｂが内向きに突き出て閉じた状態で全ロールペーパーＲＰを支持している。【００１５】なお、上下部保持爪３ａ、３ｂ間、キャッチプレート９、キャッチプレートサブ１０の間隔は、ロールペーパーＲＰの径とほぼ同じ寸法である。そして、当然上部左右の上部保持爪３ａは、ロールペーパーＲＰを通過させるため常に開状態であり、下部左右の下部保持爪３ｂは、通過してきたロールペーパーＲＰを保持するため常に閉である。【００１６】  リレーストッパー３ーの揺動は、コの字形のリレーバー４、リレーリンク５により行われる（図２−図５参照）。
コの字形のリレーバー４は、水平軸４ｓにより揺動自在にメカボックス２の側壁に軸支されている。コの字形のリレーバー４が水平軸４ｓを支点に回動すると、左右の腕部に設けたローラー（車輪状のもの）４ｒが上下に転動（揺動）し、このローラー４ｒがリレーストッパー３の上半部又は下半部を選択的に押圧するので、上部小窓２ｕと下部小窓２ｄにおいて上部保持爪３ａと下部保持爪３ｂの出し入れが行われ、下部保持爪３ｂが外部へ出た時、すなわち開いた時、図５（ｂ）のようにロールペーパーＲＰは落下する。【００１７】  このリレーバー４の上下揺動動作は、リレーリンク５の押し上げと下降動作により行われる。
リレーリンク５を上方へ押し上げる動作は、図８のように操作用ハンドル６ｃの引き下げ操作の最終段階の時点（図８の９０度の手前）で、リレーリンク５の重り５ｗの連結ピン５ｐが後述するリレーリンク駆動用係合腕７ｂに係合しリレーリンク５の押し上げることにより行われる。
このリレーリンク５の上方への押し上げ動作により、上述のように下部保持爪３ｂが開き、図５（ｂ）のようにロールペーパーＲＰ１は落下し、上部保持爪３ａが閉じロールペーパーＲＰ２が上部保持爪３ａにより保持される。
次に、操作用ハンドル６ｃを元の位置に戻す（図１（ａ）、図３（ａ）、図８参照）と、リレーリンク５は、リレーリンク５の自重とリレーリンク重り５ｗで下降作動し元の位置に戻る。
この時、下部保持爪３ｂが閉じ上部保持爪３ａが開くので、ロールペーパーＲＰ２が上部保持爪３ａから落下し下部保持爪３ｂで保持され図１２、１３のＳ６からＳ７の状態（後述）になる。【００１８】  一方、すでに下部保持爪３ｂから落下済みのロールペーパーＲＰ１は、キャッチプレート９、キャッチプレートサブ１０によって一旦キャッチされ（図５（ｂ）、図１２参照、後述）、更にメカボックス２の親指形センターノブ８にセットされ使用状態となる（親指形センターノブ８、キャッチプレート９の動作については後述する）。【００１９】  新旧ロールペーパーのセット機構（構成）の説明
次に、リレーストッパー３ーの下部保持爪３ｂで受け止められていたロールペーパーＲＰ１を、親指形センターノブ８にセットするまでのメカボックス２内の新旧ロールペーパーの交換機構を説明する（図２〜８参照）。なお、交換とは、ワンタッチでロールペーパーを使い切った紙芯ロールを落下させ、新しいロールと交換することである。
この機構は、上述したペーパーカッター６、左右一対のパイロットバー７、左右一対の親指形センターノブ８、左右一対のキャッチプレート９、キャッチプレートサブ１０などで構成されている。
以下、上述したペーパーカッター６を含め、パイロットバー７、親指形センターノブ８、キャッチプレート９、キャッチプレートサブ１０について順次説明する。【００２０】  ペーパーカッター６は、上述したように、ペーパーカッター兼カバー６ｂ、ペーパーカッター支軸６ｓ、ペーパーカッター支持腕６ａを有し、用便時にロールペーパーをカットするほか各種の機構の動作源となっている。【００２１】  図７、図８において、床面から見て１２０度位置にセットされたペーパーカッター６の操作が全ての機能の駆動源になる。
ロールペーパーＲＰ１のセッティングに当たり、操作用ハンドル６ｃを、図８に示すように１２０度の位置から半円形に９０度近くまで引き下げる。
操作用ハンドル６ｃを、引き下げることによって全ての機構が可動し、簡単にロールペーパーＲＰが交換できる。
そして、ペーパーカッター６の駆動力は、後述するようにパイロットバー７の第１駆動ローラー８ｒから親指形センターノブ８へ、また、パイロットバー７の第２駆動ローラー９ｒからキャッチプレート９へ伝達される。【００２２】    パイロットバー７は、ペーパーカッター支軸６ｓと嵌合し且つパイロットバー自体を支持するパイロットバー中空軸７ｓと、上述したリレーリンク駆動用係合腕７ｂと、後述のように親指形センターノブ側を押圧する第１駆動ローラー８ｒと、キャッチプレート側を押圧する第２駆動ローラー９ｒなどを備えている。
パイロットバー７は、操作用ハンドル６ｃの引き下げ操作と戻す操作により反時計方向又は時計方向に回動（反時計方向の場合はペーパーカッター支軸６ｓの正回動、時計方向の場合は逆回動）し、それに伴って第１駆動ローラー８ｒと第２駆動ローラー９ｒも反時計方向又は時計方向に回動しながら、後述するように親指形センターノブ８及びキャッチプレート９を押圧しロールペーパーＲＰの交換を行う。
なお、図８に示すようにパイロットバー中空軸７ｓに対する第１駆動ローラー８ｒと第２駆動ローラー９ｒの取付距離（回動半径）は、動作の都合上Ａ＜Ｂの関係に設計されている。【００２３】  親指形センターノブ８は、センターノブ支軸８ｓによってメカボックス２の側壁に揺動自在に軸支され、その上半部には傾斜角を有する親指形センターノブ側シーソ舌片部８ａが形成されている。そして、この親指形センターノブ側シーソ舌片部８ａと、下半部に形成された親指形センターノブ背面壁部８ｂとは、第１駆動ローラー８ｒの転動で押圧され親指形センターノブ８全体を揺動させる。
この揺動により親指形センターノブ８は、センターノブ支軸８ｓを支点に親指形センターノブ貫通開口８ｕを出入りし、閉じたり開いたりする。【００２４】  また、キャッチプレート９は、キャッチプレート支軸９ｓによってメカボックス２の側壁に揺動自在に軸支され、その上半部に傾斜角を有するキャッチプレート側シーソ舌片部９ａが形成されている。そして、このキャッチプレート側シーソ舌片部９ａと、下半部に形成されたキャッチプレート背面壁部９ｂとは、第２駆動ローラー９ｒの転動で押圧されキャッチプレート９全体を揺動させる。
この揺動によりキャッチプレート９は、キャッチプレート支軸９ｓを支点にキャッチプレート貫通開口９ｕを出入し、閉じたり開いたりする。
また、キャッチプレート９は、補助具として固定式のキャッチプレートサブ１０を有している。【００２５】  センターノブ支軸８ｓとキャッチプレート支軸９ｓの左右メカ収納室２Ｌ、２Ｒに対する取り付け位置は、図７に示すようにずらせてある。
この両支軸８ｓと９ｓの取り付け位置をずらせることにより第１駆動ローラー８ｒの転動によってシーソ舌片部８ａが押圧される時期と、第２駆動ローラー９ｒの転動によってシーソ舌片部９ａが押圧される時期がずれるようなされている。
これによって、後述のようにロールペーパー中空芯体（空芯）Ｐａを落下させる時、キャッチプレート９が早めに閉じる動作を開始し、親指形センターノブ８はやや遅れて引っ込み（開く）動作を開始する。【００２６】  それでは、実施例１のロールペーパーＲＰ１の交換動作を、図９のフローチートと図１０〜図１３のステップ図を中心にその他の関係図を参照しながら説明する。
（１）まず、説明の便宜上、ロールペーパーＲＰが使用済みとなった中空芯体（空芯）Ｐａの落下から説明を開始する。
（２）ステップＳ１（図１０のステップＳ１参照）。
ステップＳ１の状態の時、ロールペーパーＲＰ１は、図５（ａ）で示すようにリレーストッパーの下部保持爪３ｂで保持されている。
また、この時、親指形センターノブ８には、ロールペーパー中空芯体（空芯）Ｐａが保持されている。【００２７】（３）ステップＳ２（図１０のステップＳ２参照）。
この状態で、操作用ハンドル６ｃを引き始めると、この操作が駆動源となって、パイロットバー７、親指形センターノブ８、キャッチプレート９、リレーリンク５、リレーバー４、リレーストッパー３が所定の手順で動作を開始する。
すなわち、操作用ハンドル６ｃの引き下げ操作で、パイロットバー７が、図７（ｂ）の位置から図８の矢印Ｈ方向（反時計方向）、図１０ステップＳ２の矢印方向（反時計方向）に回動を開始する。【００２８】（４）ステップＳ３→ステップＳ４（図１１参照）。
パイロットバー７が回動をはじめると、親指形センターノブ８側シーソ舌片部８ａが、パイロットバー７の第１駆動ローラー８ｒで押圧され、親指形センターノブ８が図１１ステップＳ４に示すように外部へ出て開かれるので、使用済みロールペーパー中空芯体（空芯）Ｐａの支持が解かれ、ロールペーパー中空芯体（空芯）Ｐａは落下する。
この第１駆動ローラー８ｒの押圧動作よりやや早めに、第２駆動ローラー９ｒが、図８に示すようにキャッチプレート背面壁部９ｂを押圧するので、キャッチプレート９は内部へ進入して閉じられロールペーパーＲＰを受け止める態勢、すなわち、キャッチプレート９は図１１ステップＳ４の状態になる。
この時、ロールペーパーＲＰ１は、まだリレーストッパーの下部保持爪３ｂで保持されている。（図１１参照）
このように、キャッチプレート９と親指形センターノブ８は、第１駆動ローラー８ｒでシーソ舌片部８ａを押圧し、第２駆動ローラー９ｒでキャッチプレート背面壁部９ｂを押圧することにより時間差を設けて追従動作させるものである。【００２９】（５）ステップＳ５→ステップＳ６（図１２参照）
ロールペーパー中空芯体（空芯）Ｐａが落下後、ペーパーカッター６を更に引き、図８においてパイロットバー７が例えば８０度になった時、リレーリンク５を押し上げる。このリレーリンク５の上方への押し上げ動作は、段落番号００１７、００２２で説明したようにリレーリンク５の重り５ｗの連結ピン５ｐに係合したリレーリンク駆動用係合腕７ｂにより行われる。
このリレーリンク５の押し上げ動作により、図５（ｂ）のようにリレーバー４が上向きに揺動しリレーバー４の駆動用ローラー４ｒでリレーストッパー３の上側を押すことにより上部保持爪３ａが上部小窓２ｕ内に押し込まれ、下部保持爪３ｂが開き図５（ｂ）で示すように外側へ移動するので下部保持爪３ｂによるロールペーパーＲＰ１の保持が解かれロールペーパーＲＰ１は落下する。【００３０】（６）ロールペーパーＲＰ１は、図１２ステップＳ５のように、キャッチプレート９、１０に向かって落下し、図１２のステップＳ６のようにキャッチプレート９、１０で一旦受け止められる。
（７）ここで、キャッチプレート９とキャッチプレートサブ１０でネットのように一旦受け止められたロールペーパーＲＰ１は、親指形センターノブ８に回動自在に使用可能な状態にセットするため、次の操作が行われる。
（８）ステップＳ７→ステップＳ８（図１３参照）
この操作は、図１３のステップＳ７，Ｓ８のように操作用ハンドル６ｃを引き戻すことにより行われる。【００３１】（９）操作用ハンドル６ｃを引き戻すと、
第１駆動ローラー８ｒが親指形センターノブ背面壁部８ｂを押圧するので、親指形センターノブ８は内側に戻りはじめ、その時親指形センターノブ８はロールペーパーＲＰ１の中空芯体を持ち上げながら中空芯体内に進入するので、ロールペーパーＲＰ１は、閉じられた親指形センターノブ８で保持され使用可能な状態となる。
（１０）一方、操作用ハンドル６ｃの引き戻しにより、押し上げられていたリレーリンク５は自重で降下する。
リレーリンク５の降下により、図１３ステップＳ７、Ｓ８のように、リレーバー駆動用ローラー４ｒがリレーストッパー３の下側を押すことにより上部保持爪３ａが外側へ移動して開き下部保持爪３ｂが下部保持爪の出入り下部小窓２ｄ内に押し込まれて閉じるので、その間に降下してきたロールペーパーＲＰ２はタイミングよく下部保持爪３ｂで保持される。【００３２】（１１）パイロットバー７の第１駆動ローラー８ｒ、第２駆動ローラー９ｒが反時計方向又は時計方向に９０度廻ることによって親指形センターノブ８を閉じたり開いたり、キャッププレート９が閉じたり開いたりし、親指形センターノブ８とキャッププレート９は互いにやや遅れながら作動する。
ステップＳ８では、キャッププレート９が外側に開いた状態、親指形センターノブ８を閉じた状態になり、ステップ１と同じ状態となる。
【符号の説明】
【００３３】１  ロールペーパー収納ボックス（ストッカー）
１ａ  開閉蓋
１ｂ  ペーパー補充口
２  ロールペーパーメカボックス（メカボックス）
２Ｌ  ロールペーパーメカボックスの左側メカ収納室
２Ｒ  ロールペーパーメカボックスの右側メカ収納室
２ｕ  上部保持爪の出入り上部小窓
２ｄ  下部保持爪の出入り下部小窓
３  リレーストッパー
３ａ  リレーストッパーの一対の上部保持爪
３ｂ  リレーストッパーの一対の下部保持爪
３ｓ  リレーストッパー支軸
４  コの字形リレーバー
４ｒ  リレーバー駆動用ローラー
４ｓ  水平軸
５  リレーリンク
５ｗ  リレーリンクの重り
５ｐ  リレーリンクの重りの連結ピン
６  ペーパーカッター
６ａ  ペーパーカッター支持腕
６ｂ  ペーパーカッター兼カバー
６ｃ  ペーパーカッター（操作用ハンドル）
６ｓ  ペーパーカッターの支軸
６ｓｒ  ペーパーカッター支軸固定穴
７  パイロットバー
７ｂ  リレーリンク駆動腕
７ｓ  パイロットバー中空軸
８  親指形センターノブ
８ａ  親指形センターノブ側シーソ舌片部（傾斜状舌片）
８ｂ  親指形センターノブ背面壁部（親指形センターノブ下半部の垂直状舌片）
８ｒ  親指形センターノブ側の第１駆動ローラー
８ｓ  センターノブ支軸
８ｕ  親指形センターノブ貫通開口
９  キャッチプレート
９ａ  キャッチプレート側シーソ舌片部（傾斜状舌片）
９ｂ  キャッチプレート背面壁部（キャッチプレート下半部の垂直状舌片）
９ｒ  キャッチプレート側の第２駆動ローラー
９ｓ  キャッチプレート支軸
９ｕ  キャッチプレート貫通開口
１０  キャッチプレートサブ
ＲＰ（ＲＰ１〜ＲＰ５）  ロールペーパー
Ｐａ  ロールペーパー中空芯体（空芯）
Ｗ  ストッカーの透視長窓。
【図１】
2013215541.tif 000003
【図２】
2013215541.tif 000004
【図３】
2013215541.tif 000005
【図４】
2013215541.tif 000006
【図５】
2013215541.tif 000007
【図６】
2013215541.tif 000008
【図７】
2013215541.tif 000009
【図８】
2013215541.tif 000010
【図９】
2013215541.tif 000011
【図１０】
2013215541.tif 000012
【図１１】
2013215541.tif 000013
【図１２】
2013215541.tif 000014
【図１３】
2013215541.tif 000015